(57)【特許請求の範囲】
【請求項１】
ネットワークを介して複数の端末とサーバとを接続し、前記サーバが各端末からのメッセージを受信し、このメッセージを各端末へ提供することで会議を行う電子会議システムにおいて、
前記端末が、メッセージの入力手段と、前記メッセージの送信相手を特定する特定手段と、前記メッセージをサーバに送信する送信手段と、前記サーバからのメッセージを受信する受信手段とを備え、
前記サーバが、
各端末からのメッセージを受信する受信手段と、前記受信手段で受信したメッセージを記憶する記憶手段と、前記メッセージのうち前記特定手段で特定された個別メッセージ及び特定されていないメッセージである会議発言を選択する選択手段と、前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信する提供手段とを備えたこと、
を特徴とする電子会議システム。
【請求項２】
ネットワークを介して複数の端末とサーバとを接続し、前記サーバが各端末からのメッセージを受信し、このメッセージを各端末へ提供することで会議を行う電子会議システムにおいて、
前記端末が、メッセージの入力手段と、前記メッセージをサーバに送信する送信手段と、前記サーバからのメッセージを受信する受信手段とを備え、
前記サーバが、各端末からのメッセージを受信する受信手段と、前記受信手段で受信したメッセージを記憶する記憶手段と、前記メッセージの送信相手を特定する特定手段と、前記メッセージのうち前記特定手段で特定された個別メッセージ及び特定されていないメッセージである会議発言を選択する選択手段と、前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信する提供手段とを備えたこと、を特徴とする電子会議システム。
【請求項３】
前記提供手段が、前記会議発言と個別メッセージとで色分け表示されるように画像表示データを作成する請求項１又は２に記載の電子会議システム。
【請求項４】
前記端末の受信手段が、前記メッセージの掲載された画面データを前記サーバに要求し、この画面データを取得して表示することを特徴とする請求項１又は２に記載の電子会議システム。
【請求項５】
前記提供手段が、前記端末からの要求を受信し、この端末に提供するメッセージを掲載した画面データを作成して当該端末に提供することを特徴とする請求項４に記載の電子会議システム。
【請求項６】
ネットワークを介して複数の端末と接続し、各端末からのメッセージを受信し、このメッセージを各端末へ提供する電子会議システム用のサーバにおいて、
各端末からのメッセージを受信する受信手段と、
前記受信手段で受信したメッセージを記憶する記憶手段と、
前記記憶手段に記憶されたメッセージのうち、送信相手が特定された個別メッセージ及び特定されていないメッセージである会議発言を選択する選択手段と、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信する提供手段とを備えたことを特徴とするサーバ。
【請求項７】
ネットワークを介して複数の端末と接続し、各端末からのメッセージを受信し、このメッセージを各端末へ提供する電子会議システム用のサーバにおいて、
各端末からのメッセージを受信する受信手段と、
前記受信手段で受信したメッセージを記憶する記憶手段と、
前記メッセージの送信相手を特定する特定手段と、
前記メッセージのうち前記特定手段で特定された個別メッセージ及び特定されていないメッセージである会議発言を選択する選択手段と、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信する提供手段とを備えたことを特徴とするサーバ。
【請求項８】
前記提供手段が、前記会議発言と個別メッセージとで色分け表示されるように画像表示データを作成する請求項６又は７に記載のサーバ。
【請求項９】
前記提供手段が、前記端末からの要求を受信し、この端末に提供するメッセージを掲載した画面データを作成して当該端末に提供することを特徴とする請求項６又は７に記載のサーバ。
【請求項１０】
ネットワークを介して複数の端末とサーバとを接続したシステムにおける電子会議方法であって、
前記端末が、メッセージの入力を受け付けるステップと、前記メッセージの送信相手を特定するステップと、前記メッセージを端末からサーバに送信するステップと、を行い、
前記サーバが、各端末からのメッセージを受信するステップと、受信したメッセージを記憶するステップと、前記メッセージのうち前記ステップで送信相手が特定された個別メッセージ及び特定されていないメッセージである会議発言を選択するステップと、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信するステップと、を行うことを特徴とする電子会議方法。
【請求項１１】
ネットワークを介して複数の端末と接続された電子会議システム用のサーバにおける電子会議方法であって、
各端末からのメッセージを受信するステップと、
前記ステップで受信したメッセージを記憶するステップと、
前記メッセージのうち送信相手が特定された個別メッセージ及び特定されていないメッセージである会議発言を選択するステップと、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信するステップと、を含むことを特徴とする電子会議方法。
【請求項１２】
ネットワークを介して複数の端末と接続された電子会議システム用のサーバにおける電子会議方法であって、
各端末からのメッセージを受信するステップと、
前記ステップで受信したメッセージを記憶するステップと、
前記メッセージの送信相手を特定するステップと、
前記メッセージのうち前記ステップで送信相手が特定された個別メッセージ及び特定されていないメッセージである会議発言を選択するステップと、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信するステップと、
を含むことを特徴とする電子会議方法。
【請求項１３】
前記会議発言と個別メッセージとで色分け表示されるように画像表示データを作成することを特徴とする請求項１０から１２の何れかに記載の電子会議方法。
【請求項１４】
前記メッセージを提供するステップにおいて、前記端末からの要求を受信し、この端末に提供するメッセージを掲載した画面データを作成して当該端末に提供することを特徴とする請求項１０から１３の何れかに記載の電子会議方法。
【請求項１５】
ネットワークを介して複数の端末と接続された電子会議システム用のサーバにて運用される電子会議プログラムであって、
各端末からのメッセージを受信するステップと、
前記ステップで受信したメッセージを記憶するステップと、
前記メッセージのうち送信相手が特定された個別メッセージ及び特定されていないメッセージである会議発言を選択するステップと、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信するステップと、
を実行させることを特徴とする電子会議プログラム。
【請求項１６】
ネットワークを介して複数の端末と接続された電子会議システム用のサーバにて運用される電子会議プログラムであって、
各端末からのメッセージを受信するステップと、
前記ステップで受信したメッセージを記憶するステップと、
前記メッセージの送信相手を特定するステップと、
前記メッセージのうち前記ステップで送信相手が特定された個別メッセージ及び特定されていないメッセージである会議発言を選択するステップと、
前記会議発言に前記個別メッセージを加えて画像表示データを作成して前記送信相手の端末及び該個別メッセージの送信者の端末に送信し、前記会議発言を前記送信相手の端末及び該個別メッセージの送信者の端末以外に送信するステップと、
を実行させることを特徴とする電子会議プログラム。
【請求項１７】
前記会議発言と個別メッセージとで色分け表示されるように画像表示データを作成することを特徴とする請求項１５又は１６に記載の電子会議プログラム。
【請求項１８】
前記メッセージを提供するステップにおいて、前記端末からの要求を受信し、この端末に提供するメッセージを掲載した画面データを作成して当該端末に提供することを特徴とする請求項１５又は１６に記載の電子会議プログラム。
【発明の詳細な説明】
【０００１】
【発明の属する技術分野】
本発明は、ネットワークを介してメッセージの授受を行い、会話（チャット）や、取引、会議などを行うシステム（本件では、便宜上これらを電子会議システムと称する）に関する。
【０００２】
【従来の技術】
従来、多数の参加者がネットワークを介して会議を行う電子会議システムは、一般に、端末から発言を入力してサーバに送信し、サーバは前記発言データを各端末へブロードキャストする。
【０００３】
ＷＷＷ（Ｗｏｒｄ  Ｗｉｄｅ  Ｗｅｂ）ベースの電子会議システムでは、サーバが各端末より受信した発言データを時系列に記憶し、各端末からリロード要求を受信する都度、最新の発言データから所定数の発言データを時系列に並べてページデータを作成し、該端末の閲覧に供している。
【０００４】
【発明が解決しようとする課題】
前述のように、従来の電子会議システム、とくに不特定多数が参加可能な電子会議システムにおいては、発言された内容が、全参加者に通知（すべての発言が各端末に同様に出力）されるものであるため、次のような問題がある。
【０００５】
電子会議の途中で、特定の参加者と個別にコミュニケーションをとる場合、Ｅ−メールを用いるなど、該電子会議システムとは別の手段でコミュニケーションをとる必要があった。
【０００６】
このためコミュニケーションの手段（アプリケーションソフトなど）を切り替える手順が必要であり、操作が煩雑であった。
【０００７】
また、メールアドレスの指定や、発言内容を新たに入力する必要があり、操作性の低いものとなっていた。
【０００８】
更に、上記の如く電子会議システムを利用している際、同一のコンピュータ上で別の手段（アプリケーションソフト）を起動した場合には、表示画面（カレント画面）も切り替わり、電子会議システムの画面が隠れてしまうことが多いので、個別にコミュニケーションをとっている間に会議の様子を把握することが困難になってしまう。
【０００９】
そこで本発明は、電子会議システムによって多数の参加者と会議を行っている際に、特定の参加者とコミュニケーションをとることの可能な電子会議方法、電子会議システム、電子会議システム用のサーバ、端末及び電子会議プログラムの提供を目的とする。
【００１０】
【課題を解決するための手段】
本発明の電子会議方法、電子会議システム、電子会議システム用のサーバ、端末及び電子会議プログラムは、前記端末が、メッセージの入力手段と、前記メッセージの送信相手を特定する特定手段と、前記メッセージをサーバに送信する送信手段と、前記サーバからのメッセージを受信する受信手段とを備え、前記サーバが、各端末からのメッセージを受信する受信手段と、前記受信手段で受信したメッセージを記憶する記憶手段と、前記特定手段で特定された相手に基づいて各端末に提供するメッセージを選択する選択手段と、前記選択手段で選択されたメッセージを各端末に提供する提供手段とを備えたことにより、多数の参加者と会議を行っている際に、特定の参加者とコミュニケーションをとることを可能としている。
【００１１】
【発明の実施の形態】
以下、本発明の実施の形態について添付図面を参照して説明する。
【００１２】
図１は、本発明の電子会議システムを示す概略図である。本システムは、インターネットやＷＡＮ等のネットワークＮを介してサーバ１と複数の端末２を接続してなり、各端末間で電子会議を行うものである。
【００１３】
本例のサーバ１は、図２に示すように、本体１１内に、ＣＰＵ（ｃｅｎｔｒａｌ  ｐｒｏｃｅｓｓｉｎｇ  ｕｎｉｔ）やメインメモリ等よりなる演算処理部１２、演算処理の為のソフトウェアを記憶したハードディスク（記憶手段）１３、ユーザーインターフェース等とのデータの入出力部である入出力ポート１４、ネットワークＮに接続して通信を行う為の通信制御手段１８等が備えられている。
【００１４】
また、該入出力ポート１４にはユーザーインターフェースとしてキーボードやマウス等の入力手段、ディスプレイや、プリンタ等の出力手段が適宜接続される。
【００１５】
本体１１のハードディスク１３には、オペレーティングシステム（ＯＳ）やアプリケーションソフト（電子会議プログラム）がインストールされている。また、ハードディスク（記憶手段）１３には、各端末からのメッセージが所定数記憶される。なお、本発明の記憶手段は、ハードディスク等の主記憶媒体に限らず、メインメモリ（ＲＡＭ）等を用いて端末からのメッセージを一時的に記憶し、蓄積せずに各端末に提供するものでも良い。
【００１６】
演算処理部１２は、周辺機器からの情報やアプリケーションソフトに基づく処理により、受信手段や、特定手段、選択手段、提供手段等の機能を実現している。
【００１７】
受信手段の機能としては、各端末からの文字や図形（イメージ）、音声等によるメッセージを受信し、ハードディスク１３に記憶させる。
【００１８】
特定手段の機能としては、端末１からの発言に発言番号が示されていた場合に、ハードディスク１３に記憶された当該発言から発言者を抽出し、これを個別送信相手と特定する。
【００１９】
選択手段の機能としては、ハードディスク１３に記憶されたメッセージのうち前記端末によって特定された相手に基づき各端末に提供するメッセージを選択する。
【００２０】
提供手段の機能としては、前記選択手段で選択したメッセージを各端末に一定時間毎に提供する。
【００２１】
一方、本発明の電子会議システムを構成する端末２は、図３に示すように、本体２１内に、ＣＰＵ（ｃｅｎｔｒａｌ  ｐｒｏｃｅｓｓｉｎｇ  ｕｎｉｔ）やメインメモリ等よりなる演算処理部２２、演算処理の為のソフトウェアを記憶したハードディスク（記憶手段）２３、ユーザーインターフェース等とのデータの入出力部である入出力ポート２４、ネットワークＮに接続して通信を行う為の通信制御手段２８等が備えられている。
【００２２】
また、該入出力ポート２４にはユーザーインターフェースとしてキーボードやマウス等の入力手段、ディスプレイや、プリンタ等の出力手段が適宜接続される。
【００２３】
本体２１のハードディスク２３には、オペレーティングシステム（ＯＳ）やアプリケーションソフト（電子会議プログラム）がインストールされている。
【００２４】
演算処理部２２は、周辺機器からの情報やアプリケーションソフトに基づく処理により、特定手段や送信手段、受信手段等の機能を実現している。
【００２５】
特定手段の機能としては、前記メッセージを送る相手を特定する。
【００２６】
送信手段の機能としては、前記メッセージをサーバに送信する。また、受信手段の機能としては、前記サーバ１からのメッセージを受信する。
【００２７】
このように本形態のサーバ及び端末は、一般的なコンピュータにおいて、一部の手段をソフト的に実現した汎用機であるが、これに限らず各手段を専用の電子回路で構成した専用機（電子機器）であっても良い。
【００２８】
次に図４を用いて、本電子会議システムにおける電子会議のフロー及び電子会議方法について説明する。
【００２９】
参加者は、まず、自己の端末２を用い、所要の事項を入力して電子会議にエントリー（入室）する。
【００３０】
図５は、入室前の表示画面の例である。
【００３１】
参加者は、名前（ハンドル名）、性別、発言の色を入力し、入室ボタン３１を押す。この入室ボタン３１が押されると、端末２は、入室する旨の情報と共に、入力された情報と接続識別情報をサーバ１へ送信する（ステップ１、以下Ｓ１のように略記する）。
【００３２】
この情報を受信したサーバ１は、参加者の入室、即ち端末２の接続を許可し、接続識別情報をハードディスク１３に記憶する（Ｓ２）。
【００３３】
これにより、サーバ１と参加者端末２は特定の接続識別情報をもって接続が確立する。本例では、表１の如く参加者と接続識別情報とを対応付けて記憶している。
［表１］
参加者      接続識別情報
ＡＡ      ＸＸＸ．ＸＸ．ＸＸ．ＸＸ
ＢＢ      ＸＸＸ．ＸＸＸ．ＸＸ．ＹＹ
ＣＣ      ＸＸＸ．ＸＸ．ＸＸ．ＺＺ
ＤＤ      ＡＡＡ．ＸＸＸ．ＸＸ．ＸＸ
【００３４】
サーバ１は、入室の処理が完了すると、参加者端末２に、入力フォーム（ＨＴＭＬデータ）を送信し、図６の如く表示させる（Ｓ３）。
【００３５】
参加者は、端末２のキーボード等の入力手段から随時発言（メッセージ）を入力し、送信ボタン３２を押す。この送信ボタン３２が押されると、端末２は、入力された発言をサーバ１へ送信する（Ｓ４）。
【００３６】
サーバ１は、受信手段の機能により、この発言を受信し、接続識別情報と、名前、出力先、発言内容を対応して記憶する（図７、Ｓ５）。
【００３７】
サーバ１は、この発言内容を所定数蓄積して、前記接続識別情報に基づき各端末へ一定時間ごとに配信（提供）する（Ｓ６）。
【００３８】
図５、図６に示すように画面下段のメッセージ表示欄３３には、サーバ１によって提供した発言データを表示させている。
【００３９】
ここで、サーバ１は、発言者名、発言内容がそれぞれハイパーリンクになるように画面データを作成している。
【００４０】
例えば、図面中、
【００４１】
ＡＡ：誰か○○について教えてください。
のように表示されている発言のソースは、
＜Ａ  ＨＲＥＦ＝”ｈｔｔｐ：／／．．．／ｍｅｓ．ｃｇｉ？ＮＡＭＥ＝ＡＡ”＞ＡＡ＜／Ａ＞：
＜Ａ  ＨＲＥＦ＝”ｈｔｔｐ：／／．．．／ｍｅｓ．ｃｇｉ？ＮＵＭ＝１０４”＞誰か○○について教えてください。＜／Ａ＞＜ＢＲ＞
となっている。
【００４２】
参加者は、他の参加者と個別にコミュニケーションをとりたいときには、このリンク３４，３５をマウスでクリックする。
【００４３】
端末２は、リンク３５がクリックされたか否かを判定し（Ｓ７）、クリックされた場合には、特定手段の機能により、このクリックされた参加者を個別送信相手（個別にコミュニケーションをとる参加者）として特定する（Ｓ８）。また、リンク３４がクリックされた場合、端末２は、発言番号のみをサーバに送信する。そしてサーバ１が、特定手段の機能により、ハードディスク１３に記憶された当該発言から発言者を抽出し、これを個別送信相手と特定する。なお、本例では、端末２とサーバ１の双方に特定手段を設けたが、これは、何れか一方であっても良い。
一方、クリックされない場合（送信相手を特定しない場合）には、会議への発言とみなし、上記のステップを繰り返す。なお、本例では、送信相手を特定しない場合を会議への発言としたが、全員を特定することにより、会議への発言とみなしても良い。
【００４４】
そして参加者が特定された場合には、この参加者あてに発言を入力するための入力フォームをディスプレイ上に表示する（Ｓ３）。
【００４５】
図８（Ａ）はリンク３４をクリックした場合、図８（Ｂ）は、リンク３５をクリックした場合を示している。
【００４６】
この入力フォームは、画面上には表示されないが、対象となる発言番号の情報を含んでいる。図９（Ａ）（Ｂ）は、この入力フォームのソース（ＨＴＭＬ）を示している。
【００４７】
参加者（送信者）は、このフォームの入力欄３６に発言（個別メッセージ）を入力して、送信ボタン３７を押す（図８（Ｃ））。
【００４８】
この送信ボタン３７が押されると、端末２は、このフォームの情報、即ち発言内容、対象となる発言番号、対象となる参加者などの情報をサーバ１へ送信する（Ｓ４）。
【００４９】
サーバ１は、この端末２からの情報を受信し、図１０（Ａ）（Ｂ）のように時系列で記憶する（Ｓ５）。
【００５０】
次いで、サーバ１は、この蓄積した発言を各端末２に配信するが、上記のように、対象者（配信先）が特定された発言を処理する場合には、下記の手順で画面表示データを作成し、配信する（Ｓ６）。
【００５１】
１）記憶手段１３に記憶したメッセージのうち、個別メッセージの対象者及び送信者を抽出する。
【００５２】
２）この個別メッセージの対象者及び送信者以外の参加者に、会議の発言を抽出して送信する。
【００５３】
３）個別メッセージの対象者及び送信者に対しては、会議の発言（送信相手の特定されていないメッセージ）に当該個別メッセージを加えて画面表示データを作成し、個別に送信する。
【００５４】
また、当該個別メッセージと会議の発言とは、色分け表示されるよう設定するとよい。
【００５５】
なお、発言の表示は、発言順に限らず、対象発言者への表示画面を編集する際、関連する発言ごとにグループ化（ツリー状に表示）してもよい。
【００５６】
図１１はその例であるが、対象を特定した発言の次に、被対象発言が段下げして表示している。
【００５７】
なお、本形態において、メッセージの配信のタイミングは、数秒毎に行っており、略リアルタイムにメッセージを送受信できる。また、本発明における配信のタイミングは、これに限定されず、コミュニケーションを行うのに適した時間を任意に設定すれば良い、例えば、数十分の１秒から数分毎に配信を行うように設定したり、新しいメッセージを受信後、直ちに或は所定時間後に配信するように設定しても良い。
【００５８】
以上のように、本実施形態によれば、電子会議の途中で、個別にコミュニケーションをとる場合でも、別の手段を用いずにコミュニケーションをとることができ、操作が容易となる。
【００５９】
また、会議の発言に続けて表示されるので、メールアドレスの指定や、発言の引用部分を新たに入力する必要が無く、高い操作性を実現できる。
【００６０】
更に、電子会議システムの画面が隠れてしまうことがなく、個別にコミュニケーションをとっている間も会議の様子を容易に把握することができる。
【００６１】
〈その他の実施形態〉
【００６２】
上記実施形態では、サーバ１が、記憶したメッセージを各端末２へ配信していたが、このメッセージの提供方法はこれに限定されない。例えばＷＷＷベースの電子会議システムにおいては、端末が一定周期でサーバ１に出力要求を発行し、これに応じて各端末用に作成された画面データ（ウエブページ）をダウンロードするものでも良い。
【００６３】
この場合、サーバ１は、各端末用のウエブページを、下記の条件で作成する。
【００６４】
表示対象の各発言データについて、
対象発言者のデータがない場合、
当該発言を出力（ウエブページに掲載）する。
対象発言者のデータがある場合
対象発言者＝参加者であれば、当該発言を出力する。
当該発言の発言者＝参加者であれば、当該発言を出力する。
対象発言者＝参加者でなければ、当該発言を出力しない。
【００６５】
また、本発明において、メッセージは、テキストデータに限らず、イメージデータ、表データ、音声データ、動画データ、プログラムなどであっても良い。
【００６６】
本発明の電子会議方法、電子会議システム、電子会議システム用のサーバ、端末及び電子会議プログラムは、上記した実施の形態に限定されるものではなく、本発明の要旨を逸脱しない範囲内において種々変更を加え得ることは勿論である。
【００６７】
〔１〕：
ネットワークを介して複数の端末とサーバとを接続し、前記サーバが各端末からのメッセージを受信し、このメッセージを各端末へ提供することで会議を行う電子会議システムにおいて、
前記端末が、メッセージの入力手段と、前記メッセージの送信相手を特定する特定手段と、前記メッセージをサーバに送信する送信手段と、前記サーバからのメッセージを受信する受信手段とを備え、
前記サーバが、各端末からのメッセージを受信する受信手段と、前記受信手段で受信したメッセージを記憶する記憶手段と、前記特定手段で特定された相手に基づいて各端末に提供するメッセージを選択する選択手段と、前記選択手段で選択されたメッセージを各端末に提供する提供手段とを備えたこと、
を特徴とする電子会議システム。
【００６８】
〔２〕：
ネットワークを介して複数の端末とサーバとを接続し、前記サーバが各端末からのメッセージを受信し、このメッセージを各端末へ提供することで会議を行う電子会議システムにおいて、
前記端末が、メッセージの入力手段と、前記メッセージをサーバに送信する送信手段と、前記サーバからのメッセージを受信する受信手段とを備え、
前記サーバが、各端末からのメッセージを受信する受信手段と、前記受信手段で受信したメッセージを記憶する記憶手段と、前記メッセージの送信相手を特定する特定手段と、前記特定手段で特定された相手に基づいて各端末に提供するメッセージを選択する選択手段と、前記選択手段で選択されたメッセージを各端末に提供する提供手段とを備えたこと、
を特徴とする電子会議システム。
【００６９】
〔３〕：
前記サーバの選択手段が、送信相手の特定されていないメッセージ及び送信相手の特定されたメッセージを選択し、
前記提供手段が、前記送信相手と、当該送信相手を特定した発信者とに前記選択手段で選択したメッセージを提供することを特徴とする〔１〕又は〔２〕に記載の電子会議システム。
【００７０】
〔４〕：
前記端末の受信手段が、前記メッセージの掲載された画面データを前記サーバに要求し、この画面データを取得して表示することを特徴とする〔１〕又は〔２〕に記載の電子会議システム。
【００７１】
〔５〕：
前記提供手段が、前記端末からの要求を受信し、この端末に提供するメッセージを掲載した画面データを作成して当該端末に提供することを特徴とする〔４〕に記載の電子会議システム。
【００７２】
〔６〕：
ネットワークを介して複数の端末と接続し、各端末からのメッセージを受信し、このメッセージを各端末へ提供する電子会議システム用のサーバにおいて、
各端末からのメッセージを受信する受信手段と、
前記受信手段で受信したメッセージを記憶する記憶手段と、
前記記憶手段に記憶されたメッセージのうち、各端末に提供するメッセージを送信相手毎に選択する選択手段と、
前記選択手段で選択したメッセージを各端末に提供する提供手段とを備えたことを特徴とするサーバ。
【００７３】
〔７〕：
ネットワークを介して複数の端末と接続し、各端末からのメッセージを受信し、このメッセージを各端末へ提供する電子会議システム用のサーバにおいて、
各端末からのメッセージを受信する受信手段と、
前記受信手段で受信したメッセージを記憶する記憶手段と、
前記メッセージの送信相手を特定する特定手段と、
前記特定手段で特定された相手に基づいて各端末に提供するメッセージを選択する選択手段と、
前記選択手段で選択したメッセージを各端末に提供する提供手段とを備えたことを特徴とするサーバ。
【００７４】
〔８〕：
前記選択手段が、送信相手の特定されていないメッセージ及び送信相手の特定されたメッセージを選択し、
前記提供手段が、前記送信相手と、当該送信相手を特定した発信者とに前記選択手段で選択したメッセージを提供することを特徴とする〔６〕又は〔７〕に記載のサーバ。
【００７５】
〔９〕：
前記提供手段が、前記端末からの要求を受信し、この端末に提供するメッセージを掲載した画面データを作成して当該端末に提供することを特徴とする〔６〕又は〔７〕に記載のサーバ。
【００７６】
〔１０〕：
ネットワークを介してサーバと接続し、前記サーバにメッセージを送信すると共に他の端末からのメッセージを前記サーバから取得することで会議を行う電子会議システム用の端末において、
前記端末が、メッセージの入力手段と、
前記メッセージの送信相手を特定する特定手段と、
前記メッセージをサーバに送信する送信手段と、
前記サーバからのメッセージを受信する受信手段とを備えたこと、
を特徴とする端末。
【００７７】
〔１１〕：
前記受信手段が、前記メッセージの掲載された画面データを前記サーバに要求し、この画面データを取得して表示することを特徴とする〔１０〕に記載の端末。
【００７８】
〔１２〕：
ネットワークを介して複数の端末とサーバとを接続したシステムにおける電子会議方法であって、
前記端末がメッセージの入力を受け付けるステップと、
前記メッセージ送信相手を特定するステップと、
前記メッセージを端末からサーバに送信するステップと、
前記サーバが、各端末からのメッセージを受信するステップと、
前記サーバが、受信したメッセージを記憶するステップと、
前記サーバが、前記ステップで特定された相手に基づいて各端末に提供するメッセージを選択するステップと、
前記選択したメッセージを各端末に提供するステップと、
を含むことを特徴とする電子会議方法。
【００７９】
〔１３〕：
ネットワークを介して複数の端末と接続された電子会議システム用のサーバにおける電子会議方法であって、
各端末からのメッセージを受信するステップと、
前記ステップで受信したメッセージを記憶するステップと、
前記ステップで記憶したメッセージを送信相手毎に選択するステップと、
前記ステップで選択したメッセージを各端末に提供するステップと、
を含むことを特徴とする電子会議方法。
【００８０】
〔１４〕：
ネットワークを介して複数の端末と接続された電子会議システム用のサーバにおける電子会議方法であって、
各端末からのメッセージを受信するステップと、
前記ステップで受信したメッセージを記憶するステップと、
前記メッセージの送信相手を特定するステップと、
前記ステップで特定した送信相手に基づき前記メッセージを選択するステップと、
前記ステップで選択したメッセージを各端末に提供するステップと、
を含むことを特徴とする電子会議方法。
【００８１】
〔１５〕：
前記メッセージを選択するステップにおいて、送信相手の特定されていないメッセージ及び送信相手の特定されたメッセージを選択し、
前記メッセージを送信するステップにおいて、前記送信相手と、当該送信相手を特定した発信者とに該選択したメッセージを提供することを特徴とする〔１２〕から〔１４〕の何れかに記載の電子会議方法。
【００８２】
〔１６〕：
前記メッセージを提供するステップにおいて、前記端末からの要求を受信し、この端末に提供するメッセージを掲載した画面データを作成して当該端末に提供することを特徴とする〔１２〕から〔１４〕の何れかに記載の電子会議方法。
【００８３】
〔１７〕：
ネットワークを介してサーバと接続する電子会議システム用の端末における電子会議方法であって、
メッセージの入力を受け付けるステップと、
前記メッセージの送信相手を特定するステップと、
前記メッセージをサーバに送信するステップと、
前記サーバからのメッセージを受信するステップとを含むこと、
を特徴とする電子会議方法。
【００８４】
〔１８〕：
前記メッセージを受信するステップにおいて、前記メッセージの掲載された画面データを前記サーバに要求し、この画面データを取得して表示することを特徴とする〔１７〕に記載の電子会議方法。
【００８５】
〔１９〕：
ネットワークを介して複数の端末と接続された電子会議システム用のサーバにて運用される電子会議プログラムであって、
各端末からのメッセージを受信するステップと、
前記ステップで受信したメッセージを記憶するステップと、
前記ステップで記憶したメッセージを送信相手毎に選択するステップと、
前記ステップで選択したメッセージを各端末に提供するステップと、
を実行させることを特徴とする電子会議プログラム。
【００８６】
〔２０〕：
ネットワークを介して複数の端末と接続された電子会議システム用のサーバにて運用される電子会議プログラムであって、
各端末からのメッセージを受信するステップと、
前記ステップで受信したメッセージを記憶するステップと、
前記メッセージの送信相手を特定するステップと、
前記ステップで特定した送信相手に基づき前記メッセージを選択するステップと、
前記ステップで選択したメッセージを各端末に提供するステップと、
を実行させることを特徴とする電子会議プログラム。
【００８７】
〔２１〕：
前記メッセージを選択するステップにおいて、送信相手の特定されていないメッセージ及び送信相手の特定されたメッセージを選択し、
前記メッセージを送信するステップにおいて、前記送信相手と、当該送信相手を特定した発信者とに該選択したメッセージを提供することを特徴とする〔１９〕又は〔２０〕に記載の電子会議プログラム。
【００８８】
〔２２〕：
前記メッセージを提供するステップにおいて、前記端末からの要求を受信し、この端末に提供するメッセージを掲載した画面データを作成して当該端末に提供することを特徴とする〔１９〕又は〔２０〕に記載の電子会議プログラム。
【００８９】
〔２３〕：
ネットワークを介してサーバと接続する電子会議システム用の端末にて運用される電子会議プログラムであって、
メッセージの入力を受け付けるステップと、
前記メッセージの送信相手を特定するステップと、
前記メッセージをサーバに送信するステップと、
前記サーバからのメッセージを受信するステップと、
を実行させることを特徴とする電子会議プログラム。
【００９０】
〔２４〕：
前記メッセージを受信するステップにおいて、前記メッセージの掲載された画面データを前記サーバに要求し、この画面データを取得して表示することを特徴とする〔２３〕に記載の電子会議プログラム。
【００９１】
本発明において、以上の各構成は、可能な限り組み合わせることができる。
【００９２】
【発明の効果】
以上、説明したように本発明によれば、多数の参加者と会議を行っている際に、特定の参加者とコミュニケーションをとることが可能な電子会議方法、電子会議システム、電子会議システム用のサーバ、端末及び電子会議プログラムを提供することができる。
【図面の簡単な説明】
【図１】本発明の実施形態１を示す概略構成図
【図２】本発明の電子会議用サーバの概略構成図
【図３】本発明の電子会議用端末の概略構成図
【図４】電子会議方法の説明図
【図５】入力画面の説明図
【図６】入力画面の説明図
【図７】記憶手段に記憶されたメッセージの説明図
【図８】個別発言の入力フォームの説明図
【図９】図８のソースを示す図
【図１０】メッセージの説明図
【図１１】メッセージの表示例を示す図
【符号の説明】
１        サーバ
２        参加者端末
１１，２１    本体
１２，２２    演算処理部
１３，２３    ハードディスク（記憶手段）
１４，２４    入出力ポート
１８，２８    通信制御手段
【図１】
0003554720.tif 000002
【図２】
0003554720.tif 000003
【図３】
0003554720.tif 000004
【図４】
0003554720.tif 000005
【図５】
0003554720.tif 000006
【図６】
0003554720.tif 000007
【図７】
0003554720.tif 000008
【図８】
0003554720.tif 000009
【図９】
0003554720.tif 000010
【図１０】
0003554720.tif 000011
【図１１】
0003554720.tif 000012